Podtech/llm-jp-corpus-v4-ja_patent huggingface dataset:
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
対象者の脳に移植する神経前駆細胞を含む、前記対象者のカナバン病を治療する移植材料であって、前記神経前駆細胞が以下の工程：
前記対象者から分離された体細胞を、誘導多能性幹細胞（ｉＰＳＣｓ）にリプログラム又は転換する工程、
野生型ＡＳＰＡ遺伝子を、前記リプログラム又は転換されたｉＰＳＣｓに導入して、野生型ＡＳＰＡ遺伝子を発現する、遺伝的に修正されたｉＰＳＣｓを得る工程、及び
前記遺伝的に修正されたｉＰＳＣｓを神経前駆細胞に分化させる工程、
を含む、方法か、又は以下の工程：
前記対象者から分離された体細胞を、誘導多能性幹細胞（ｉＰＳＣｓ）にリプログラム又は転換する工程、
前記ｉＰＳＣｓを神経前駆細胞に分化させる工程、
野生型ＡＳＰＡ遺伝子を、前記神経前駆細胞に導入して、野生型ＡＳＰＡ遺伝子を発現する、遺伝的に修正された神経前駆細胞を得る工程、
を含む、方法で得られる、移植材料。
【請求項２】
リプログラム工程は、ＯＣＴ４、ＳＯＸ２、ＫＬＦ４、ＬＩＮ２８及びＭＹＣを含む１又はそれ以上のリプログラミング因子の存在下で、エピソーマルなリプログラミング又はウイルス形質導入により実行される、請求項１に記載の移植材料。
【請求項３】
リプログラムされたｉＰＳＣｓのＡＳＰＡ遺伝子は、１又はそれ以上のヘテロ接合性又はホモ接合性変異を含む、請求項１に記載の移植材料。
【請求項４】
ＡＳＰＡ遺伝子の変異は、５２７Ｇ＞Ａ、９１４Ｃ＞Ａ、又は８５４Ａ＞Ｃである
、請求項３に記載の移植材料。
【請求項５】
体細胞は、線維芽細胞、血球、泌尿器細胞、脂肪細胞、角化細胞、歯髄細胞、又は
他の容易にアクセス可能な体細胞である、請求項１に記載の移植材料。
【請求項６】
野生型ＡＳＰＡ遺伝子は、前記野生型ＡＳＰＡ遺伝子を含むベクターを用いて、リプログラム又は転換されたｉＰＳＣｓに形質導入することにより、又は遺伝子編集技術により、導入される、請求項１に記載の移植材料。
【請求項７】
前記ベクターはレンチウイルスである、請求項６に記載の移植材料。
【請求項８】
神経前駆細胞は、ＮＰＣｓ、グリア前駆細胞及びオリゴデンドログリア前駆細胞を含む、請求項１に記載の移植材料。
【請求項９】
ＡＳＰＡ神経前駆細胞を作製する方法であって、
カナバン病罹患対象者から分離された体細胞を、誘導多能性幹細胞（ｉＰＳＣｓ）にリプログラム又は転換する工程、
野生型ＡＳＰＡ遺伝子を発現する神経前駆細胞を得る工程であって、以下の、
前記野生型ＡＳＰＡ遺伝子をリプログラム又は転換されたｉＰＳＣｓに導入して、前記野生型ＡＳＰＡ遺伝子を発現する、遺伝的に修正されたｉＰＳＣｓを得る工程、及び前記遺伝的に修正されたｉＰＳＣｓを前記神経前駆細胞に分化させる工程か、又は、
ｉＰＳＣｓを神経前駆細胞に分化させる工程、及び前記野生型ＡＳＰＡ遺伝子を前記神経前駆細胞に導入する工程、を含む工程、
を含む、方法。
【請求項１０】
前記リプログラムする工程は、ＯＣＴ４、ＳＯＸ２、ＫＬＦ４、ＬＩＮ２８及びＭＹＣを含む１又はそれ以上のリプログラミング因子の存在下で、エピソーマルなリプログラミング又はウイルス形質導入により、実行される、請求項９に記載の方法。
【請求項１１】
前記体細胞は、線維芽細胞、血球、泌尿器細胞、脂肪細胞、角化細胞、歯髄細胞、又は
他の容易にアクセス可能な体細胞である、請求項９に記載の方法。
【請求項１２】
野生型ＡＳＰＡ遺伝子は、前記野生型ＡＳＰＡ遺伝子を含むベクターを用いて、リプログラム又は転換されたｉＰＳＣｓに形質導入することにより、又は遺伝子編集技術を用いてＡＳＰＡ遺伝子の変異を修正することにより、導入される、請求項９に記載の方法。
【請求項１３】
前記ベクターはレンチウイルスである、請求項１２に記載の方法。
【請求項１４】
神経前駆細胞は、ＮＰＣｓ、グリア前駆細胞及びオリゴデンドログリア前駆細胞を含む、請求項９に記載の方法。
【手続補正書】
【提出日】令和2年4月27日(2020.4.27)
【手続補正１】
【補正対象書類名】明細書
【補正対象項目名】００９５
【補正方法】変更
【補正の内容】
【００９５】
表3：野生型CD200-Fc、K130Y、並びに陽性及び陰性対照についてのゲーティングされた細胞集団からの蛍光強度値の平均。括弧内は2連の実験のSD値。
【表３】
2019518788.tif 000001
本件出願は、以下の構成の発明を提供する。
（構成１）
アミノ酸残基位置130及び/又は131に変異を含む変異型CD200タンパク質。
（構成２）
前記変異が置換変異である、構成1記載のタンパク質。
（構成３）
前記置換変異がK130Y及び/又はI131Yである、構成2記載のタンパク質。
（構成４）
1以上の追加の変異、例えばG129I、F128R、及びN81Kから選択される変異を含む、構成1〜3のいずれか1項記載のタンパク質。
（構成５）
配列番号12又は配列番号13の配列を含む、構成1〜4のいずれか1項記載のタンパク質。
（構成６）
前記タンパク質の細胞外ドメイン（ECD）を含む構成1〜5のいずれか1項記載のタンパク質。
（構成７）
配列番号3又は配列番号4の配列を含む、構成1〜6のいずれか1項記載のタンパク質。
（構成８）
任意のリンカー部分を介して非CD200タンパク質コード部分と融合された、構成1〜7のいずれか1項記載のタンパク質を含む融合タンパク質。
（構成９）
前記リンカー部分が1〜15アミノ酸を含むペプチドである、構成8記載のタンパク質。
（構成１０）
前記非CD200タンパク質コード部分が抗体又はその断片である、構成8又は9記載のタンパク質。
（構成１１）
前記非CD200タンパク質コード部分がFc断片である、構成8〜10のいずれか1項記載のタンパク質。
（構成１２）
配列番号6又は配列番号7の配列を含む、構成8〜11のいずれか1項記載のタンパク質。
（構成１３）
CD200受容体の調節因子である、構成1〜12のいずれか1項記載のタンパク質。
（構成１４）
前記CD200受容体のアゴニストである、構成1〜12のいずれか1項記載のタンパク質。
（構成１５）
構成1〜14のいずれか1項記載のタンパク質をコードするポリヌクレオチド。
（構成１６）
構成1〜15のいずれか1項記載のタンパク質を含む医薬組成物。
（構成１７）
自己免疫性疾患の治療において使用するための、構成1〜14のいずれか1項記載のタンパク質、又は構成16記載の組成物。
【手続補正書】
【提出日】令和2年4月3日(2020.4.3)
【手続補正１】
【補正対象書類名】特許請求の範囲
【補正対象項目名】請求項１１
【補正方法】変更
【補正の内容】
【請求項１１】
腫瘍、糖尿病、及び／又は関節リウマチの治療に用いるための、請求項1〜9のいずれかに記載の化合物またはその薬学的に許容される塩あるいは請求項10に記載の薬物組成物。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
ロタウイルス株１１６Ｅを含む、緩衝剤不含有、酸安定性のロタウイルスワクチンであって、前記ワクチンの処方が、緩衝剤を含む任意の従来のロタウイルスワクチンによって生じる免疫応答と同等またはそれ以上の免疫応答をロタウイルスに対して誘発し得る、ロタウイルスワクチン。
【請求項２】
前記処方が、胃酸からロタウイルス抗原を保護するためのいかなる種類の緩衝剤も含まない、請求項１に記載のロタウイルスワクチン。
【請求項３】
前記ワクチンの処方が、力価の減少を伴わずにｐＨ２からｐＨ４の胃で安定であり、制酸剤または緩衝剤のいかなる添加なしに、ヒトの胃の酸性度に少なくとも２０分間耐えることができる、請求項１に記載のロタウイルスワクチン。
【請求項４】
対象への前記ワクチンの投与前または投与後に、いかなる制酸剤または緩衝剤の投与も必要としない、請求項１に記載のロタウイルスワクチン。
【請求項５】
ロタウイルス１１６Ｅを含むロタウイルスワクチンであって、単位ワクチンあたりの用量体積が、最大１ｍｌである、ロタウイルスワクチン。
【請求項６】
単位ワクチンあたりの用量体積が、単位ワクチンあたり０．８ｍｌである、請求項５に記載のロタウイルスワクチン。
【請求項７】
単位ワクチンあたりの用量体積が、単位ワクチンあたり０．５ｍｌである、請求項５に記載のロタウイルスワクチン。
【請求項８】
前記ワクチンが−２０℃で少なくとも６０ヵ月間安定である、請求項１または５に記載のロタウイルスワクチン。
【請求項９】
２〜８℃で少なくとも３６ヵ月間、２５℃で６ヵ月間、および３７℃で少なくとも４週間は安定である、請求項１または５に記載のロタウイルスワクチン。
【請求項１０】
緩衝剤を含むまたは含まない、請求項５または６に記載のロタウイルスワクチン。
【請求項１１】
緩衝剤を含むまたは含まない、請求項７に記載のロタウイルスワクチンの処方。
【請求項１２】
前記ロタウイルスワクチンの、ワクチン接種後の４倍セロコンバージョン率で表される免疫応答が、前記ワクチンの処方を緩衝剤の存在下で使用して、または制酸剤投与と併用して達成されたセロコンバージョン率と同等またはそれ以上である、請求項１または５に記載のロタウイルスワクチン。
【請求項１３】
糖類の組合せ、ラクトアルブミン加水分解物および組換えヒト血清アルブミンをさらに含む、請求項１または５に記載のロタウイルスワクチン。
【請求項１４】
前記糖類の組合せが、ショ糖、乳糖およびトレハロースの組合せを含む、請求項１３に記載のロタウイルスワクチン。
【請求項１５】
液体経口ワクチン用の処方である、請求項１または５に記載のロタウイルスワクチン。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
ポリ（ＡＤＰリボース）ポリメラーゼ（ＰＡＲＰ）阻害剤又は薬学的に許容されるその塩若しくは溶媒和物を含む、血管中膜石灰化又は内膜アテローム硬化性石灰化の治療、予防、又は改善用の医薬組成物。
【請求項２】
血管中膜石灰化の治療、予防、又は改善用である、請求項１に記載の医薬組成物。
【請求項３】
メンケベルグ動脈硬化症又は尿毒症性細小動脈石灰化症（ＣＵＡ）の治療、予防、又は改善用である、請求項２に記載の医薬組成物。
【請求項４】
慢性腎疾患、糖尿病、老化、副甲状腺機能亢進症、高リン酸血症、ビタミンＤ障害、ビタミンＫ障害、骨粗鬆症、川崎病、ＣＤ７３の欠乏による動脈石灰化（ＡＣＤＣ）、乳児全身性動脈石灰化症（ＧＡＣＩ）、特発性基底核石灰化症（ＩＢＧＣ）、弾性線維性仮性黄色腫（ＰＸＥ）、関節リウマチ、シングルトン−マーテン症候群、及び／又はβ−サラセミアに罹患している対象における血管中膜石灰化の治療、予防、又は改善用である、請求項２又は３に記載の医薬組成物。
【請求項５】
内膜アテローム硬化性石灰化の治療、予防、又は改善用である、請求項１に記載の医薬組成物。
【請求項６】
少なくとも２０、少なくとも４０、少なくとも６０、少なくとも８０、又は少なくとも１００のＡｇａｔｓｔｏｎスコアを有する患者におけるアテローム硬化性石灰化の治療用である、請求項５に記載の医薬組成物。
【請求項７】
前記ＰＡＲＰ阻害剤が、オラパリブ、ルカパリブ、ニラパリブ、ベリパリブ、タラゾパリブ、ミノサイクリン、シロスタゾール、Ｎ−（６−オキソ−５，６−ジヒドロフェナントリジン−２−イル）−（Ｎ，Ｎ−ジメチルアミノ）アセトアミド塩酸塩（ＰＪ３４）、３−アミノベンズアミド（３−ＡＢ）、及び３，４−ジヒドロ−５−［４−（１−ピペリジニル）ブトキシル］−１（２Ｈ）−イソキノリノン（ＤＰＱ）からなる群から選択される、請求項１〜６のいずれか一項に記載の医薬組成物。
【請求項８】
前記ＰＡＲＰ阻害剤が、オラパリブ、ルカパリブ、ニラパリブ、ベリパリブ、タラゾパリブ、ミノサイクリン、及びシロスタゾールからなる群から選択される、請求項７に記載の医薬組成物。
【請求項９】
前記ＰＡＲＰ阻害剤が、ミノサイクリンである、請求項８に記載の医薬組成物。
【請求項１０】
前記ＰＡＲＰ阻害剤が、１ｍｇ〜１００００ｍｇ若しくは２ｍｇ〜２０００ｍｇ、５ｍｇ〜１０００ｍｇ、１０ｍｇ〜２００ｍｇ、１５ｍｇ〜１００ｍｇ、又は２０ｍｇ〜５０ｍｇの１日用量として投与される、請求項１〜９のいずれか一項に記載の医薬組成物。
【請求項１１】
前記ＰＡＲＰ阻害剤が、１日２回の用量として投与され、各用量が、１ｍｇ〜５０００ｍｇ、２ｍｇ〜１０００ｍｇ、３ｍｇ〜５００ｍｇ、４ｍｇ〜１００ｍｇ、５ｍｇ〜５０ｍｇ、又は１０ｍｇ〜２５ｍｇである、請求項１〜１０のいずれか一項に記載の医薬組成物。
【請求項１２】
各用量が、１０ｍｇ〜２５ｍｇである、請求項１１に記載の医薬組成物。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
肝内胆汁うっ滞性疾患の処置用の医薬であって、セラデルパル（Seladelpar）またはその塩である化合物を、５ｍｇ／日または１０ｍｇ／日のセラデルパルに相当する量で含む、医薬。
【請求項２】
前記化合物が、セラデルパルのL-リシン塩である、請求項１に記載の医薬。
【請求項３】
前記化合物が、セラデルパルL-リシン二水和物である、請求項２に記載の医薬。
【請求項４】
１日１回投与である、請求項１〜３のいずれか一項に記載の医薬。
【請求項５】
前記化合物の量が、５ｍｇ／日のセラデルパルに相当する量である、請求項４に記載の医薬。
【請求項６】
前記化合物の量が、１０ｍｇ／日のセラデルパルに相当する量である、請求項４に記載の医薬。
【請求項７】
肝内胆汁うっ滞性疾患が、原発性胆汁性胆管炎、原発性硬化性胆管炎、進行性家族性肝内胆汁うっ滞またはアラジール症候群である、請求項１〜６のいずれか一項に記載の医薬。
【請求項８】
肝内胆汁うっ滞性疾患が原発性胆汁性胆管炎である、請求項７に記載の医薬。
【請求項９】
肝内胆汁うっ滞性疾患が原発性硬化性胆管炎である、請求項７に記載の医薬。
【請求項１０】
肝内胆汁うっ滞性疾患が進行性家族性肝内胆汁うっ滞である、請求項７に記載の医薬。
【請求項１１】
肝内胆汁うっ滞性疾患がアラジール症候群である、請求項７に記載の医薬。
【請求項１２】
経口投与用の、請求項１〜１１のいずれか一項に記載の医薬。
【請求項１３】
セラデルパルまたはその塩である化合物を、５ｍｇまたは１０ｍｇのセラデルパルに相当する量で含む、経口薬。
【請求項１４】
前記化合物が、セラデルパルのL-リシン塩である、請求項１３に記載の経口薬。
【請求項１５】
前記化合物が、セラデルパルL-リシン二水和物である、請求項１４に記載の経口薬。
【請求項１６】
前記化合物の量が、５ｍｇのセラデルパルに相当する量である、請求項１３〜１５のいずれか一項に記載の経口薬。
【請求項１７】
前記化合物の量が、１０ｍｇのセラデルパルに相当する量である、請求項１３〜１５のいずれか一項に記載の経口薬。
【請求項１８】
錠剤またはカプセル剤である、請求項１３〜１７のいずれか一項に記載の経口薬。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
哺乳類の網膜神経節細胞（ＲＧＣ）を活性化するための組成物であって、蛍光タンパク質に融合した有効量のＣｈｒｉｍｓｏｎタンパク質を発現するベクターを含む組成物。
【請求項２】
対象でのニューロン介在障害を処置または防止するための組成物であって、蛍光タンパク質に融合した有効量のＣｈｒｉｍｓｏｎタンパク質を発現するベクターを含む組成物。
【請求項３】
内網膜細胞での光への感受性を回復させるための組成物であって、蛍光タンパク質に融合した有効量のＣｈｒｉｍｓｏｎタンパク質を発現するベクターを含む組成物。
【請求項４】
対象に視覚を回復させるための組成物であって、蛍光タンパク質に融合した有効量のＣｈｒｉｍｓｏｎタンパク質を発現するベクターを含む組成物。
【請求項５】
光覚または光感受性の欠損により視覚を損失した対象に視覚を回復させるための組成物であって、蛍光タンパク質に融合した有効量のＣｈｒｉｍｓｏｎタンパク質を発現するベクターを含む組成物。
【請求項６】
光受容体機能の損失により網膜変性を患う対象の網膜変性を処置または防止するための組成物であって、蛍光タンパク質に融合した有効量のＣｈｒｉｍｓｏｎタンパク質を発現するベクターを含む組成物。
【請求項７】
光覚または光感受性の欠損により視覚を損失したヒトの目の光受容体機能を回復させるための組成物であって、蛍光タンパク質に融合した有効量のＣｈｒｉｍｓｏｎタンパク質を発現するベクターを含む組成物。
【請求項８】
電気的に活性の細胞を脱分極するための組成物であって、蛍光タンパク質に融合した有効量のＣｈｒｉｍｓｏｎタンパク質を発現するベクターを含む組成物。
【請求項９】
網膜神経節細胞（ＲＧＣ）を活性化するための組成物であって、
ＲＧＣ応答を誘起する光刺激レベルが放射線安全性限界より低い、請求項１に記載の組成物。
【請求項１０】
前記Ｃｈｒｉｍｓｏｎタンパク質はＣｈｒｉｍｓｏｎ８８またはＣｈｒｉｍｓｏｎＲである、請求項１から８のいずれか１つに記載の組成物。
【請求項１１】
前記蛍光タンパク質はＴｄ−Ｔｏｍａｔｏ（ＴｄＴ）タンパク質および緑色蛍光タンパク質（ＧＦＰ）から選択される、請求項１０に記載の組成物。
【請求項１２】
前記ＴｄＴタンパク質に融合したＣｈｒｉｍｓｏｎタンパク質は、Ｃｈｒｉｍｓｏｎタンパク質単独に比べて光刺激への応答がより効果的である、請求項１１に記載の組成物。
【請求項１３】
前記蛍光タンパク質は、所定細胞数に対する融合Ｃｈｒｉｍｓｏｎタンパク質の発現レベルを、Ｃｈｒｉｍｓｏｎタンパク質単独の発現レベルに比べて増大させる、請求項１０に記載の組成物。
【請求項１４】
前記融合Ｃｈｒｉｍｓｏｎタンパク質の発現レベルは、前記Ｃｈｒｉｍｓｏｎタンパク質の向上した溶解度、トラフィッキング、および／またはタンパク質構造を通して増大する、請求項１３に記載の組成物。
【請求項１５】
前記ベクターはアデノ随伴ウィルス（ＡＡＶ）ベクターである、請求項１から８のいずれか１つに記載の組成物。
【請求項１６】
前記ＡＡＶベクターはＡＡＶ２ベクターおよびＡＡＶ２．７ｍ８ベクターから選択される、請求項１５に記載の組成物。
【請求項１７】
前記ＡＡＶベクターはＡＡＶ２．７ｍ８ベクターである、請求項１６に記載の組成物。
【請求項１８】
前記ベクターはＣＡＧプロモーターを含む、請求項１から８のいずれか１つに記載の組成物。
【請求項１９】
前記ベクターは硝子体内に注射投与されるように用いられる、請求項１から８のいずれか１つに記載の組成物。
【請求項２０】
蛍光タンパク質に融合した有効量の前記Ｃｈｒｉｍｓｏｎタンパク質は長期にわたって発現される、請求項１から８のいずれか１つに記載の組成物。
【請求項２１】
蛍光タンパク質に融合した前記Ｃｈｒｉｍｓｏｎタンパク質の発現は投与後少なくとも２カ月、または投与後少なくとも１１カ月持続する、請求項２０に記載の組成物。
【請求項２２】
１つまたはそれ以上のＣｈｒｉｍｓｏｎタンパク質および１つまたはそれ以上の蛍光タンパク質を融合状態でまたは個別にコードする１つまたはそれ以上のポリヌクレオチドを備えた組成物。
【手続補正書】
【提出日】令和2年6月11日(2020.6.11)
【手続補正１】
【補正対象書類名】明細書
【補正対象項目名】００６３
【補正方法】変更
【補正の内容】
【００６３】
以下の実施例は、ＥＤＡでの前処理が、線維芽細胞およびケラチノサイト（バリア機能の生成および維持に不可欠な２つの種類の細胞（Varkey M, Ding J, Tredget EE.Superficial dermal fibroblasts enhance basement membrane and epidermal barrier formation in tissue-engineered skin: implications for treatment of skin basement membrane disorders. Tissue Eng Part A. 2014 Feb;20(3-4):540-52、Lee SH, Jeong SK, Ahn SK. An Update of the Defensive Barrier Function of Skin. Yonsei Medical Journal 2006. 47: 293-306））を、様々な環境侵襲から保護することを説明するものである。これらの実施例は、単に、本発明の特定の実施形態を説明するものであり、何ら制限するものとしてみなされるべきではない。
本発明は以下の通りである。
［１］ＵＶ放射由来ではない環境侵襲により引き起こされるヒト皮膚バリアダメージを軽減するためのナンキョクコメススキ（Deschampsia antarctica）（ＥＤＡ）の抽出物の化粧用使用。
［２］前記抽出物が、化学的大気汚染物質とＵＶ放射以外の気候状態とにより誘発される皮膚の不快感および皮膚のダメージを予防および／または低減する、上記［１］に記載の使用。
［３］前記化学的大気汚染物質が、煙および重金属からなる群から選択される、上記［２］に記載の使用。
［４］前記気候状態が、浸透圧ショック、低空気湿度および環境上の熱ストレスからなる群から選択される、上記［２］に記載の使用。
［５］ヒト皮膚バリア障害および関連する症状の寛解および／または予防に使用するためのナンキョクコメススキ（ＥＤＡ）の抽出物。
［６］前記ヒト皮膚バリア障害が、乾燥皮膚、アトピー性皮膚炎および接触性皮膚炎から選択される、上記［５］に記載の使用のためのＥＤＡ。
［７］前記ヒト皮膚バリア障害が、化学的大気汚染物質およびＵＶ放射以外の気候状態からなる群から選択される環境侵襲によって悪化している、上記［５］に記載の使用のためのＥＤＡ。
［８］ヒト皮膚バリア障害および関連する症状の治療および／または予防に使用するための組成物であって、生理学的に許容される媒体中にナンキョクコメススキ（ＥＤＡ）の抽出物の有効量を含む、組成物。
【手続補正２】
【補正対象書類名】特許請求の範囲
【補正対象項目名】全文
【補正方法】変更
【補正の内容】
【特許請求の範囲】
【請求項１】
ナンキョクコメススキ（Deschampsia antarctica）（ＥＤＡ）の抽出物を有効成分として含む、ＵＶ放射由来ではない環境侵襲により引き起こされるヒト皮膚バリアダメージを軽減するための化粧用組成物。
【請求項２】
前記抽出物が、化学的大気汚染物質とＵＶ放射以外の気候状態とにより誘発される皮膚の不快感および皮膚のダメージを予防および／または低減する、請求項１に記載の化粧用組成物。
【請求項３】
前記化学的大気汚染物質が、煙および重金属からなる群から選択される、請求項２に記載の化粧用組成物。
【請求項４】
前記気候状態が、浸透圧ショック、低空気湿度および環境上の熱ストレスからなる群から選択される、請求項２に記載の化粧用組成物。
【請求項５】
ナンキョクコメススキ（ＥＤＡ）の抽出物を有効成分として含む、ヒト皮膚バリア障害および関連する症状の寛解および／または予防に使用するための薬用化粧用組成物であって、前記障害が乾燥皮膚、アトピー性皮膚炎および接触性皮膚炎から選択される、組成物。
【請求項６】
生理学的に許容される媒体中にナンキョクコメススキ（ＥＤＡ）の抽出物の有効量を含む、ヒト皮膚バリア障害および関連する症状の治療および／または予防に使用するための医薬組成物であって、前記障害が乾燥皮膚、アトピー性皮膚炎および接触性皮膚炎から選択される、組成物。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
対象の尿素によって引き起こされるかゆみを伴う乾燥した皮膚の治療または予防に使用するための、求核剤を含む局所製剤。
【請求項２】
前記求核剤が、ヒスチジン、ペプチド、およびそれらの誘導体のうちの少なくともいずれかのような求核アミノ酸である、請求項１に記載の局所製剤。
【請求項３】
尿素によって引き起こされるかゆみを伴う乾燥した皮膚は、尿毒症性掻痒症、ウロストミー性皮膚炎、失禁性皮膚炎およびおむつ性皮膚炎からなる群より選択される、請求項１または２に記載の局所製剤。
【請求項４】
前記局所製剤は、皮膚表面ｃｍ２当たり０．００１ｍｇ〜５ｍｇの範囲である求核剤の濃度にて皮膚に適用される、請求項１〜３のいずれか一項に記載の局所製剤。
【請求項５】
前記誘導体は、ヒスチジン分解生成物、ヒスチジンのペプチド、ヒスチジンおよび１つ以上のさらなるアミノ酸のペプチド、ヒスチジンの薬学的に許容される塩の１つ以上から選択される、請求項２〜４のいずれか一項に記載の局所製剤。
【請求項６】
ヒスチジンはＬ−ヒスチジンである、請求項２〜５のいずれか一項に記載の局所製剤。
【請求項７】
ヒスチジンおよびその誘導体のいずれか一方は、前記局所製剤中における唯一の活性成分である、請求項２〜６のいずれか一項に記載の局所製剤。
【請求項８】
前記局所製剤は、ピロリドンカルボン酸のナトリウム塩のようなピロリドンカルボン酸、またはグリシルグリシン、システイン、アルギニンおよびリジンからなる群より選択される１つ以上のアミノ酸、をさらに含む、請求項１〜６のいずれか一項に記載の局所製剤。
【請求項９】
前記局所製剤は、ヒスチジンおよびその誘導体の少なくとも一方を、皮膚表面ｃｍ２当たり０．５ｍｇ〜２．５ｍｇの範囲にある濃度にて皮膚に適用される、請求項１〜８のいずれか一項に記載の局所製剤。
【請求項１０】
前記求核剤はヒスチジンおよびその誘導体の両方またはいずれか一方である、請求項１に記載の局所製剤。
【請求項１１】
前記局所製剤は、ピロリドンカルボン酸をさらに含む、請求項１０に記載の局所製剤。
【請求項１２】
高齢者の皮膚の老化における掻痒症の治療または予防における使用のための、請求項１〜９のいずれか一項に記載の局所製剤。
【請求項１３】
フィラグリン欠損患者におけるかゆみを伴う乾燥した皮膚の治療または予防における使用のための、請求項１〜９のいずれか一項に記載の局所製剤。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
A)熱硬化性樹脂及びB)不飽和エラストマーラテックスを含む水性接着剤組成物であって、前記熱硬化性樹脂が、
A1)少なくとも２個の官能基を有する少なくとも１個の芳香環を含む少なくとも１種の芳香族化合物であって、これらの官能基の１個がヒドロキシメチル官能基であり、もう１個がアルデヒド官能基又はヒドロキシメチル官能基である、芳香族化合物；及び
A2)互いにメタ位に少なくとも２個のヒドロキシル官能基を有する少なくとも１個の芳香環を含む少なくとも１種の芳香族ポリフェノールであって、少なくとも１個の前記ヒドロキシル官能基に対する２つのオルト位が置換されていない、芳香族ポリフェノール；及び／又は
A2')１個のヒドロキシル官能基を有する少なくとも１個の六員芳香環を含む少なくとも１種の芳香族モノフェノールであって、前記ヒドロキシル官能基に対する２つのオルト位が置換されていないか、又は前記ヒドロキシル官能基に対する少なくとも１つのオルト位及びパラ位が置換されていない、芳香族モノフェノール
をベースとすることを特徴とする、水性接着剤組成物。
【請求項２】
前記芳香族化合物A1が、一般式(II)に対応する、請求項１に記載の組成物。
【化１】
2019518087.tif 000001
（式中、BはCHO又はCH2OHを表し、XはO、NR1、NO、S、SO、SO2、SR2R3を表し、R1は水素、アルキル、アリール、アリールアルキル、アルキルアリール又はシクロアルキル基を表し、R2、R3はそれぞれ互いに独立して、水素、アルキル、アリール、アリールアルキル、アルキルアリール又はシクロアルキル基を表す。）
【請求項３】
前記芳香族化合物A1が、一般式(II'a1)又は(II'a2)に対応する、請求項１又は２に記載の組成物。
【化２】
2019518087.tif 000002
【請求項４】
前記芳香族ポリフェノールの前記芳香環が、互いにメタ位に２個又は３個のヒドロキシル官能基を有し、かつ前記芳香族ポリフェノールの前記芳香環の残余部が置換されていない、請求項１〜３のいずれか１項に記載の組成物。
【請求項５】
前記芳香族ポリフェノールが、レゾルシノール、フロログルシノール、2,2',4,4'-テトラヒドロキシジフェニルスルフィド、2,2',4,4'-テトラヒドロキシベンゾフェノン及びこれらの化合物の混合物からなる群から選択される、請求項１〜４のいずれか１項に記載の組成物。
【請求項６】
前記芳香族ポリフェノールが、
請求項１〜５のいずれか１項に定義される少なくとも１種の芳香族ポリフェノール、及び
少なくとも１個のアルデヒド官能基を含む前記芳香族ポリフェノールと反応可能な少なくとも１種の化合物、及び／又は芳香環上に少なくとも２個のヒドロキシメチル官能基を含む前記芳香族ポリフェノールと反応可能な化合物
をベースとする予備縮合された樹脂である、請求項１〜５のいずれか１項に記載の組成物。
【請求項７】
前記接着剤組成物の含水量が、６０〜９０質量％の間で変化する、請求項１〜６のいずれか１項に記載の組成物。
【請求項８】
A1)少なくとも２個の官能基を有する少なくとも１個の芳香環を含む少なくとも１種の芳香族化合物であって、これらの官能基の１個がヒドロキシメチル官能基であり、もう１個がアルデヒド官能基又はヒドロキシメチル官能基である、芳香族化合物；及び
A2)互いにメタ位に少なくとも２個のヒドロキシル官能基を有する少なくとも１個の芳香環を含む少なくとも１種の芳香族ポリフェノールであって、少なくとも１個の前記ヒドロキシル官能基に対する２つのオルト位が置換されていない、芳香族ポリフェノール
をベースとする予備縮合された熱硬化性樹脂を含む、水性接着剤溶液。
【請求項９】
請求項１〜７のいずれか１項に記載の接着剤組成物を含む接着層で少なくとも一部が被覆されている、繊維材料。
【請求項１０】
請求項９に記載の繊維材料で補強した、ゴム複合体。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
化学的および／または酵素的な加水分解によるキチンおよび／またはキトサンからの単糖類の製造方法であって、キチンおよび／またはキトサンを酢酸溶液および／または鉱酸に溶解させ、続いてこの混合物を濃亜硝酸と反応させるのを下記の工程
ａ）１ないし５％（質量／体積）のキトサンおよび／またはキチンを含む酢酸溶液および／または鉱酸（１ないし２０％）の溶液を、室温で、１ないし３０分、好ましくは５分の適当な時間撹拌させ、
ｂ）亜硝酸で体積の５ないし５０％を工程（ａ）に記載した溶液に加え、ここで亜硝酸は、撹拌および加熱下で、０．５ないし５モル／Ｌの濃度で新たに調製された亜硝酸ナトリウム溶液を加えることによる、または工程（ａ）の溶液を気体窒素酸化物（四酸化二窒素および五酸化二窒素）で飽和させることによる、反応環境において生成される、
で行うことを含む、方法。
【請求項２】
工程（ａ）は、撹拌下および３０℃ないし５５℃の温度範囲での穏やかな加熱下で起こる、請求項１に記載の方法。
【請求項３】
任意に、工程（ｂ）は、１分ないし７２時間の範囲の種々の反応時間条件を提供する、請求項１または２に記載の方法。
【請求項４】
工程（ｂ）は、５５℃ないし１００℃の温度範囲での激しい加熱を提供する、請求項１、２または３に記載の方法。
【請求項５】
任意に、アミロース分解活性を有する酵素を、（最適な酵素活性のための）好適な５．０のｐＨおよび５２℃の温度条件下で、撹拌下または静止して用いる酵素的な加水分解の追加の工程を含む、請求項１、２、３または４に記載の方法。
【請求項６】
アミロース分解活性をもつ酵素を、（最適な酵素活性のための）好適な５．０のｐＨおよび５２℃の温度条件下で、撹拌下でまたは静止して用いて、酵素的な加水分解を行う前記追加の工程を、前記工程（ａ）と前記工程（ｂ）との間で行う、請求項５に記載の方法。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
網膜又は視神経変性疾患、視神経炎、又は、視神経脊髄炎の治療及び／又は予防のための医薬であって、
式（Ｉ）の化合物又はその薬学的に許容される塩を含み、
【化１】
2019518034.tif 000001
ここで、式中、Ｒ１、Ｒ２及びＲ３はＨ又は−Ｃ（Ｏ）Ｒ４から独立に選択され、Ｒ４は、
−  １、２又は３個のＯＨ、ＮＨ２、ＮＨＣＨ３、Ｎ（ＣＨ３）２、Ｆ又はＣｌで任意に置換された（Ｃ５−Ｃ２０）アルキル；又は
−  １、２又は３個の二重結合を有する（Ｃ５−Ｃ２０）アルケニル；
であり、
Ｒ１、Ｒ２及びＲ３の少なくとも１つは、Ｒ４が偶数個の炭素原子を有する（Ｃ６−Ｃ２０）アルキルである−Ｃ（Ｏ）Ｒ４である、
医薬。
【請求項２】
Ｒ１、Ｒ２及びＲ３がＨ又は−Ｃ（Ｏ）Ｒ４から独立に選択され、Ｒ１、Ｒ２及びＲ３の少なくとも１つが、Ｒ４が偶数個の炭素原子を有する（Ｃ６−Ｃ２０）アルキルである−Ｃ（Ｏ）Ｒ４である、請求項１に記載の医薬。
【請求項３】
Ｒ１、Ｒ２及びＲ３が、Ｒ４が偶数個の炭素原子を有する（Ｃ６−Ｃ２０）アルキルである−Ｃ（Ｏ）Ｒ４から独立に選択される、請求項１又は２に記載の医薬。
【請求項４】
Ｒ１、Ｒ２及びＲ３の１又は２つはＨであり、他は、Ｒ４がＣ１２−アルキル、Ｃ１４−アルキル、Ｃ１６−アルキル、Ｃ１８−アルキル又はＣ２０−アルキルである−Ｃ（Ｏ）Ｒ４である、請求項１又は２に記載の医薬。
【請求項５】
Ｒ１、Ｒ２及びＲ３が、Ｒ４がＣ１４−アルキルである−Ｃ（Ｏ）Ｒ４である、請求項１〜３のいずれか１項に記載の医薬。
【請求項６】
請求項１〜５のいずれか１項に記載の医薬であって、
網膜又は視神経変性疾患が、視神経萎縮、レーベル遺伝性視神経症（ＬＨＯＮ）、優性視神経萎縮（ＤＯＡ）、加齢性黄斑変性症、緑内障及び網膜色素変性症からなる群より選択される、
医薬。
【請求項７】
式（Ｉ）の化合物を１ｍｇ／日〜１０００ｍｇ／日の用量で含む、請求項１〜６のいずれか１項に記載の医薬。
【請求項８】
網膜又は視神経変性疾患、視神経炎、又は、視神経脊髄炎の治療及び／又は予防のための医薬であって、
Ｏｐｈｉｏｇｌｏｓｓｕｍを含む、
医薬。
【請求項９】
請求項８に記載の医薬であって、
網膜又は視神経変性疾患が、視神経萎縮、レーベル遺伝性視神経症（ＬＨＯＮ）、優性視神経萎縮（ＤＯＡ）、加齢性黄斑変性症、緑内障及び網膜色素変性症からなる群より選択される、
医薬。
【請求項１０】
請求項８又は９に記載の医薬であって、
トリペンタデカノインがｏｐｈｉｏｇｌｏｓｓｕｍに１ｍｇ／日〜１０００ｍｇ／日の量で含まれる、
医薬。
【請求項１１】
網膜又は視神経変性疾患、視神経炎、又は、視神経脊髄炎の予防のための機能性食品又は補助食品としての、請求項１〜５のいずれか１項に記載の化合物又はｏｐｈｉｏｇｌｏｓｓｕｍの使用。
【請求項１２】
請求項１１に記載の使用であって、
トリペンタデカノインが１μｇ／日〜５０ｍｇ／日の量で含まれる、
使用。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
対象を治療する方法であって、
MYD88変異型疾患を有する対象に、造血細胞キナーゼ(HCK)へのATPの結合を、同等の条件下においてブルトン型チロシンキナーゼ(BTK)へのATPの結合を遮断する濃度よりも少なくとも10倍低い濃度で遮断する化合物を含む、医薬組成物を投与する工程を含み、
前記化合物が、式(I)又は(II)の構造のもの、
【化１】
2019518006.tif 000001
又はその医薬として許容される塩、溶媒和物、水和物、多形体、共結晶、互変異性体、立体異性体、同位体標識誘導体、若しくはプロドラッグであり、式中、
Ar1は、不在であるか、置換若しくは非置換カルボシクリル、置換若しくは非置換ヘテロシクリル(heterocycly)、置換若しくは非置換アリール、又は置換若しくは非置換ヘテロアリールであり、
W4の各例は、独立して、ハロゲン、置換若しくは非置換アルキル、置換若しくは非置換アルケニル、置換若しくは非置換アルキニル、置換若しくは非置換カルボシクリル、置換若しくは非置換ヘテロシクリル、置換若しくは非置換アリール、置換若しくは非置換ヘテロアリール、-ORa、-N(Ra)2、-SRa、-CN、-SCN、-C(=NRa)Ra、-C(=NRa)ORa、-C(=NRa)N(Ra)2、-C(=O)Ra、-C(=O)ORa、-C(=O)N(Ra)2、-NO2、-NRaC(=O)Ra、-NRaC(=O)ORa、-NRaC(=O)N(Ra)2、-OC(=O)Ra、-OC(=O)ORa、又は-OC(=O)N(Ra)2であり、
Raの各例は、独立して、水素、置換若しくは非置換アシル、置換若しくは非置換アルキル、置換若しくは非置換アルケニル、置換若しくは非置換アルキニル、置換若しくは非置換カルボシクリル、置換若しくは非置換ヘテロシクリル、置換若しくは非置換アリール、置換若しくは非置換ヘテロアリール、窒素原子に結合した場合には窒素保護基、酸素原子に結合した場合には酸素保護基、又は硫黄原子に結合した場合には硫黄保護基であるか、或いはRaの2つの例が一緒になって、置換若しくは非置換ヘテロ環式環又は置換若しくは非置換ヘテロアリール環を形成し、
kは、価数が許容する限り、0、1、2、3、又は4であり、
Lは、不在であるか、-O-、-S-、-NRb-、-C(Rc)2-、-NRbC(=O)-、-C(=O)NRb-、-OC(=O)-、-C(=O)O-、又は置換若しくは非置換C1〜6炭化水素鎖であり、任意選択で、前記炭化水素鎖の1個又は複数の鎖原子は、独立して、-O-、-S-、-NRb-、=N-、-N=、又は-C(=O)-で置き換えられ、
Rbの各例は、独立して、水素、置換若しくは非置換C1〜6アルキル、又は窒素保護基であり、
Ar2は、置換若しくは非置換アリール又は置換若しくは非置換ヘテロアリールであり、
W5の各例は、独立して、ハロゲン、置換若しくは非置換アルキル、置換若しくは非置換アルケニル、置換若しくは非置換アルキニル、置換若しくは非置換カルボシクリル、置換若しくは非置換ヘテロシクリル、置換若しくは非置換アリール、置換若しくは非置換ヘテロアリール、-ORa、-N(Ra)2、-SRa、-CN、-SCN、-C(=NRa)Ra、-C(=NRa)ORa、-C(=NRa)N(Ra)2、-C(=O)Ra、-C(=O)ORa、-C(=O)N(Ra)2、-NO2、-NRaC(=O)Ra、-NRaC(=O)ORa、-NRaC(=O)N(Ra)2、-OC(=O)Ra、-OC(=O)ORa、又は-OC(=O)N(Ra)2であり、
nは、価数が許容する限り、0、1、2、3、4、又は5であり、
結合aは、価数が許容する限り、単結合又は二重結合であり、
X5は、不在であるか、-O-、-S-、-NRb-、=N-、-N=、-C(Rc)2-、-NRbC(=O)-、-C(=O)NRb-、-OC(=O)-、-C(=O)O-、又は置換若しくは非置換C1〜6炭化水素鎖であり、任意選択で、前記炭化水素鎖の1個又は複数の鎖原子は、独立して、-O-、-S-、-NRb-、=N-、-N=、又は-C(=O)-で置き換えられ、
結合bは、価数が許容する限り、単結合又は二重結合であり、
X4は、C、CRc、又はNであり、
結合cは、価数が許容する限り、単結合又は二重結合であり、
X1は、CRc、N、-C(=O)-、-S(=O)2-、又は-P(=O)(Ra)-であり、
Rcの各例は、独立して、水素、ハロゲン、置換若しくは非置換C1〜6アルキル、又は-ORdであり、
Rdの各例は、独立して、水素、置換若しくは非置換C1〜6アルキル、又は酸素保護基であり、
X2は、-C(Re)2-又は-N(Rf)-であり、
Reの各例は、独立して、水素、ハロゲン、置換若しくは非置換アルキル、置換若しくは非置換アルケニル、置換若しくは非置換アルキニル、置換若しくは非置換カルボシクリル、置換若しくは非置換ヘテロシクリル、置換若しくは非置換アリール、置換若しくは非置換ヘテロアリール、-ORa、-N(Ra)2、-SRa、-CN、-SCN、-C(=NRa)Ra、-C(=NRa)ORa、-C(=NRa)N(Ra)2、-C(=O)Ra、-C(=O)ORa、-C(=O)N(Ra)2、-NO2、-NRaC(=O)Ra、-NRaC(=O)ORa、-NRaC(=O)N(Ra)2、-OC(=O)Ra、-OC(=O)ORa、又は-OC(=O)N(Ra)2であり、
Rfは、水素、置換若しくは非置換アルキル、置換若しくは非置換アルケニル、置換若しくは非置換アルキニル、置換若しくは非置換カルボシクリル、置換若しくは非置換ヘテロシクリル、置換若しくは非置換アリール、置換若しくは非置換ヘテロアリール、-C(=NRa)Ra、-C(=NRa)ORa、-C(=NRa)N(Ra)2、-C(=O)Ra、-C(=O)ORa、-C(=O)N(Ra)2、又は窒素保護基であり、
W1の各例は、独立して、ハロゲン、置換若しくは非置換C1〜6アルキル、又は-ORdであるか、或いは同じ炭素原子におけるW1の2つの例が一緒になって、=Oを形成し、
mは、価数が許容する限り、0、1、2、3、4、5、6、7、8、9、10、又は11であり、
pは、1又は2であり、
qは、1又は2であり、
X3は、CRh又はNであり、
Rhは、水素、ハロゲン、置換若しくは非置換C1〜6アルキル、又は-ORdであり、
W2は、水素、ハロゲン、置換若しくは非置換C1〜6アルキル、又は-ORdであり、
W3の各例は、独立して、水素、置換若しくは非置換C1〜6アルキル、又は窒素保護基であり、
X6は、不在であるか、C、CRc、又はNであり、
結合dは、不在であるか、価数が許容する限り単結合又は二重結合であり、
W6は、不在であるか、或いはW6及びW7が、一緒になって、置換若しくは非置換カルボシクリル、置換若しくは非置換ヘテロシクリル、置換若しくは非置換アリール、又は置換若しくは非置換ヘテロアリールを形成し、
W7は、水素、ハロゲン、置換若しくは非置換C1〜6アルキル、又は-ORdであり、
W8の各例は、独立して、ハロゲン、置換若しくは非置換C1〜6アルキル、又は-ORdであり、
rは、0、1、又は2である、方法。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
対象における炎症を処置するための治療用組成物であって、
インターロイキン１０（ＩＬ−１０）ペプチドおよび１型インターロイキン１０受容体（ＩＬ−１０Ｒ１）ペプチドのコード領域を含む１つまたは複数の細菌、ウイルス、ファージ、コスミドまたは人工染色体ベクターを含み、
対象における抗原提示細胞中で、前記１つまたは複数のベクターから、インターロイキン１０（ＩＬ−１０）ペプチドおよび１型インターロイキン１０受容体（ＩＬ−１０Ｒ１）ペプチドが発現される、組成物。
【請求項２】
前記抗原提示細胞中で発現された前記ＩＬ−１０ペプチドが、前記ＩＬ−１０ペプチドのヒンジ領域中に突然変異を含む、請求項１に記載の組成物。
【請求項３】
前記ＩＬ−１０ペプチドが、ＩＬ−１０野生型配列の１２９位のフェニルアラニンがセリン、スレオニン、アラニンまたはシステインで置き換えられている突然変異を含む、請求項２に記載の組成物。
【請求項４】
前記野生型配列の１２９位のフェニルアラニンがセリンで置き換えられている、請求項３に記載の組成物。
【請求項５】
前記ＩＬ−１０およびＩＬ−１０Ｒ１が単一のベクターから発現される、請求項１に記載の組成物。
【請求項６】
前記ベクターがウイルスベクターである、請求項５に記載の組成物。
【請求項７】
前記ウイルスベクターがアデノ随伴ウイルスベクターである、請求項６に記載の組成物。
【請求項８】
前記ウイルスベクターがレンチウイルスベクターである、請求項６に記載の組成物。
【請求項９】
前記ＩＬ−１０およびＩＬ−１０Ｒ１のコード配列が、単一のｍＲＮＡとして転写される、請求項５に記載の組成物。
【請求項１０】
前記ベクターが、前記ＩＬ−１０および前記ＩＬ−１０Ｒ１のコード配列の間に内部リボソーム進入部位のコード配列をさらに含む、請求項９に記載の組成物。
【請求項１１】
前記ベクターが、前記ＩＬ−１０およびＩＬ−１０Ｒ１のコード配列の間に自己切断型２ａペプチドのコード配列をさらに含む、請求項９に記載の組成物。
【請求項１２】
前記炎症が神経障害性または慢性疼痛により引き起こされ、前記１つまたは複数のベクターが髄腔内注射により送達される、請求項１に記載の組成物。
【請求項１３】
前記炎症がＭＳにより引き起こされ、前記１つまたは複数のベクターが髄腔内注射により送達される、請求項１に記載の組成物。
【請求項１４】
前記炎症が自己免疫疾患により引き起こされ、前記１つまたは複数のベクターが髄腔内注射により送達される、請求項１に記載の組成物。
【請求項１５】
前記炎症が関節内に位置し、前記１つまたは複数のベクターが関節内注射により送達される、請求項１に記載の組成物。
【請求項１６】
前記炎症が神経炎症である、請求項１に記載の組成物。
【請求項１７】
前記抗原提示細胞が、単芽球、単球、星状細胞、オリゴデンドロサイト、ミクログリア、マクロファージ、Ｂ細胞、樹状細胞、泡沫細胞、リンパ芽球およびＢリンパ球の群から選択される、請求項１に記載の組成物。
【請求項１８】
前記抗原提示細胞が、処置される対象から除去され、ｉｎ  ｖｉｔｒｏで前記１つまたは複数のベクターを用いて形質導入され、前記対象に投与して戻される、請求項１７に記載の組成物。
【請求項１９】
前記抗原提示細胞が、前記１つまたは複数のベクターを用いて安定に形質転換され、培養中に維持される、請求項１７に記載の組成物。
【請求項２０】
インターロイキン１０（ＩＬ−１０）および１型インターロイキン１０受容体（ＩＬ−１０Ｒ１）のコード領域を含む、単一のウイルスまたは細菌発現ベクター。
【請求項２１】
前記ＩＬ−１０およびＩＬ−１０Ｒ１ペプチドの転写を推進する単一のプロモーターを含むウイルスベクターであり、前記ＩＬ−１０ペプチドのコード領域および前記ＩＬ−１０Ｒ１ペプチドのコード領域の間に置かれた自己切断型２ａペプチドをさらに含む、請求項２０に記載の単一の発現ベクター。
【誤訳訂正書】
【提出日】令和1年11月25日(2019.11.25)
【誤訳訂正１】
【訂正対象書類名】明細書
【訂正対象項目名】０００６
【訂正方法】変更
【訂正の内容】
【０００６】
また、多くの異なるペプチドを合成してペプチドライブラリを構成することもできる。どのペプチドが好ましい候補医薬になるかを予測する良い方法はないから、アミノ酸の全てのあり得る組み合わせを含む完全なペプチドライブラリを構成するように希望し、ペプチドの選別期間において好ましい候補医薬を見出す可能性が高い。天然に存在するアミノ酸は２０個あるため、完全なトリペプチドライブラリを構成するためには８，０００個のトリペプチドを合成する必要がある。同様に、完全なテトラペプチドライブラリを構成するために１６０，０００個のテトラペプチドを合成する必要があり、完全なペンタペプチドライブラリを構成するために３，２００，０００個のペンタペプチドを合成する必要があり、完全なヘキサペプチドライブラリを構成するために６４，０００，０００個のヘキサペプチドを合成する必要がある。また、多くのペプチドを合成する高コストと低スループットのため、完全なヘプタペプチド又はヘキサペプチドライブラリはもとより、１６０，０００個のテトラペプチドを含むべきである完全なテトラペプチドライブラリも今、市場には取得できない。
【誤訳訂正２】
【訂正対象書類名】明細書
【訂正対象項目名】００１０
【訂正方法】変更
【訂正の内容】
【００１０】
本発明のもう一つの目的は、単一の発現されたペプチドから多くのペプチドを表示するための方法、ライブラリの容量を顕著に増加する方法を提供することにある。例えば、合理的な設計によって、５０個のアミノ酸が発現されるペプチドは実際に、４７個の異なる連続のテトラペプチド、４６個の異なる連続のペンタペプチド、４５個の異なる連続のヘキサペプチド、４４個の異なる連続のヘプタペプチド、…、３個の異なる連続の４８−ｍｅｒペプチド、２個の異なる連続の４９−ｍｅｒペプチド、及び１個の５０−ｍｅｒペプチドを含み、サイズ範囲が４〜５０個のアミノ酸である４０８個のペプチドを構成することができる。
【誤訳訂正３】
【訂正対象書類名】明細書
【訂正対象項目名】００１２
【訂正方法】変更
【訂正の内容】
【００１２】
本発明のもう一つの目的は、完全なペンタペプチドライブラリを構成するための方法を提供することにある。合理的な設計によって、５０個アミノ酸が発現されたペプチドは実際に、４６個の異なる連続のペンタペプチドを含むことができ、このタンパク質表示方法によって、完全なペンタペプチドライブラリを構成するように、３，２００，０００個の合成ペンタペプチドの代わりに６９，５６６個の発現された５０−ｍｅｒペプチドだけが必要である。
【誤訳訂正４】
【訂正対象書類名】明細書
【訂正対象項目名】００３４
【訂正方法】変更
【訂正の内容】
【００３４】
図２に示す実施形態によると、５０個のアミノ酸が発現されたペプチドは実際に、４７個の異なる連続のテトラペプチド、４６個の異なる連続のペンタペプチド、４５個の異なる連続のヘキサペプチド、４４個の異なる連続のヘプタペプチド、・・・、３個の異なる連続の４８−ｍｅｒペプチド、２個の異なる連続の４９−ｍｅｒペプチド、及び１個の５０−ｍｅｒペプチドを含み、サイズ範囲が４〜５０個のアミノ酸である４０８個のペプチドを構成することができる。
【誤訳訂正５】
【訂正対象書類名】明細書
【訂正対象項目名】００３７
【訂正方法】変更
【訂正の内容】
【００３７】
前記実施形態において、業者にとって明らかになるのは、３，２００，０００個のペンタペプチドの化学的合成の代わりに、６９，６６５個の発現された５０−ｍｅｒペプチドは、完全なペンタペプチドライブラリを構成できる。